(57)【特許請求の範囲】
【請求項１】
流路内を流れるガスの流量を測定する流量センサを有する超音波ガスメータにおいて、
前記流量センサにより測定された流量データの異常の検出を行う流量データ異常検出部と、
当該超音波ガスメータが配管から取り外された状態であるか否かを判定する取り外し判定部と、
前記取り外し判定部により判定された判定結果に応じて前記流量データ異常検出部により検出された流量データ異常の回数を計数する計数部と、
前記計数部により計数され流量データ異常の回数に基づき前記流量センサの異常を判定する流量センサ異常判定部と、
当該超音波ガスメータの傾きを検出する傾斜検出部と、
前記流路内の圧力を検出する圧力検出部と、
前記流路内に流れるガスの遮断状態を検出する遮断検出部と、
を備え、
前記取り外し判定部は、前記遮断検出部の出力が遮断状態で、前記傾斜検出部の出力が傾斜状態で、前記圧力検出部の出力が圧力低下状態である場合に、当該超音波ガスメータが取り外された状態であると判定し、
前記計数部は、当該超音波ガスメータが取り外された状態であると判定された間には流量データ異常の回数を計数することを停止し、
前記流量センサ異常判定部は、前記計数部の計数した流量データ異常の回数が所定値以上である場合に前記流量センサの異常と判定することを特徴とする超音波ガスメータ。
【請求項２】
前記計数部は、前記取り外し判定部により当該超音波ガスメータが配管から取り外された状態であると判定された場合に、過去に計数した流量データ異常の回数をゼロクリアすることを特徴とする請求項１記載の超音波ガスメータ。
【請求項３】
前記流量センサは、前記取り外し判定部により当該超音波ガスメータが配管から取り外された状態であると判定されている期間中、ガス流量の測定を停止することを特徴とする請求項１又は請求項２記載の超音波ガスメータ。
【発明の詳細な説明】
【技術分野】
【０００１】
本発明は、超音波を利用してガスの流量を計測し、ガスの遮断や警報を行う超音波ガスメータに関する。
【背景技術】
【０００２】
従来、流路の上流側と下流側に一定の距離をおいて一対の超音波振動子を設け、その間で相互に超音波信号の送信および受信を繰り返して行い、上流側から下流側への超音波信号の伝搬積算時間と、下流側から上流側への伝搬積算時間との差に基づいてガス流量を求める超音波ガスメータが知られている。その際に、当該超音波ガスメータは、流量データ等の異常に基づき、ガスの遮断や警報動作を行う。しかしながら、こうした超音波ガスメータは、一過性の異常でガスの供給を停止する必要が無い場合においても遮断弁を閉じてガスの供給を停止してしまうので、異常のないことを確認したうえで、監視センタや設置装置等から解除命令を送信する必要があり、無用の作業が必要という問題点がある。
【０００３】
特許文献１には、一過性の異常による無用のガス遮断の発生を避けることができるガスメータが記載されている。このガスメータは、ガス流量を測定する流量センサと、流量センサから取得した流量データの異常を検出する流量データ異常検出手段と、流量データの異常の回数を計数する計数手段と、計数手段により計数された流量データの異常の連続回数又は累積回数が所定回数となったとき、流量センサ異常状態と判定する流量センサ異常状態判定手段とを備える。
【０００４】
このようなガスメータによれば、連続して所定回数以上流量異常が検出された場合にのみ流量センサ異常状態と判定するので、一過性の異常による無用のガス遮断を避けることができる。また、当該ガスメータは、流量データの異常を累積して所定回数以上検出した場合に流量センサ異常と判定するため、流量データの異常が断続的に検出されるといった不安定な状態に陥った場合においても、的確に異常状態を判定することができる。
【特許文献１】特開２００４−２０５４２０号公報
【発明の開示】
【発明が解決しようとする課題】
【０００５】
しかしながら、上述したようなガスメータを使用した場合において、以下に示す問題点が考えられる。例えば、従来のガスメータを設置してガスを使用し、その後ガスメータ内流路にガスが充満した状態でガス使用を停止するために遮断弁を閉じた状況において、当該ガスメータを取り外した場合を考える。この場合において、流路内のガスは、ガスメータ流路の一方の出口から空中に拡散するが、他方の入り口は遮断弁が閉じているため、全てのガスが外部に放出されずにガスメータ流路内に残留する。ガスメータ流路内の気体がガスと空気の混合状態となったガスメータは、取り外し後の設置状態や運搬等に基づき傾斜状態となりうるため、ガスメータ流路内部においてガスと空気との境界面が移動し、正しい超音波の送受信が行われず計測エラーを発生する。また、超音波ガスメータは水平状態であるときに正しく計測できるように最適化されているため、水平状態にない場合に機器異常判断が行われると超音波ガスメータに機器異常が生じていると誤判断される。
【０００６】
特に特許文献１に記載のガスメータは、上述したように流量データの異常の連続回数又は累積回数が所定回数となった場合に流量センサ異常状態と判定するため、取り外し後に傾斜状態が継続したような場合には流量センサ異常状態と誤判定されてしまい、遮断や警報が発生するという問題がある。
【０００７】
さらに、特許文献１に記載のガスメータは、流量データの異常を検出した場合に異常を検出する直前の流量値を今回取得した流量値として積算する旨が記載されている。したがって、このようなガスメータは、取り外し後に流量データ異常と判断された場合に、以前取得した流量値を積算する可能性があり、正しい流量計測が行われない。
【０００８】
本発明は上述した従来技術の問題点を解決するもので、ガスメータが取り外された場合に流量センサに対する異常判断や流量積算を停止し、流量センサ異常の誤判断を防止するとともに正確な流量測定を行う超音波ガスメータを提供することを課題とする。
【課題を解決するための手段】
【０００９】
本発明に係る超音波ガスメータは、上記課題を解決するために、流路内を流れるガスの流量を測定する流量センサを有する超音波ガスメータにおいて、前記流量センサにより測定された流量データの異常の検出を行う流量データ異常検出部と、当該超音波ガスメータが配管から取り外された状態であるか否かを判定する取り外し判定部と、前記取り外し判定部により判定された判定結果に応じて前記流量データ異常検出部により検出された流量データ異常の回数を計数する計数部と、前記計数部により計数され流量データ異常の回数に基づき前記流量センサの異常を判定する流量センサ異常判定部と、当該超音波ガスメータの傾きを検出する傾斜検出部と、前記流路内の圧力を検出する圧力検出部と、前記流路内に流れるガスの遮断状態を検出する遮断検出部とを備え、前記取り外し判定部は、前記遮断検出部の出力が遮断状態で、前記傾斜検出部の出力が傾斜状態で、前記圧力検出部の出力が圧力低下状態である場合に、当該超音波ガスメータが取り外された状態であると判定し、前記計数部は、当該超音波ガスメータが取り外された状態であると判定された間には流量データ異常の回数を計数することを停止し、前記流量センサ異常判定部は、前記計数部の計数した流量データ異常の回数が所定値以上である場合に前記流量センサの異常と判定することを特徴とする。
【発明の効果】
【００１０】
本発明によれば、ガスメータが取り外された場合に流量センサに対する異常判断を停止し、流量センサ異常の誤判断を防止することができる。
【発明を実施するための最良の形態】
【００１１】
以下、本発明の超音波ガスメータの実施の形態を、図面に基づいて詳細に説明する。
【実施例１】
【００１２】
以下、本発明の実施例について図面を参照しながら説明する。図１は本発明の実施例１のブロック図であり、図２は図１に示す超音波ガスメータの制御部２０の詳細を示す図である。
【００１３】
まず、本実施の形態の構成を説明すると、本実施の形態に係る超音波ガスメータは、図１に示すように、ガス流入口１０ａ、ガス流路１０ｃ、ガス流出口１０ｂ、超音波振動子１１ａ，１１ｂ、遮断弁１３、表示部１４、傾斜センサ１５、圧力センサ１６、遮断センサ１７、及び制御部２０で構成されており、ガス流路１０ｃ内を流れるガスの流量を測定する流量センサ（超音波振動子１１ａ，１１ｂ、及び後述する制御部２０内部の伝搬時間計測部２２、流量計測部２４、電圧計測部２５）を有する。
【００１４】
超音波振動子１１ａと超音波振動子１１ｂとは、本発明の流量センサに対応し、被計測流体であるガスが流れるガス流路１０ｃの上流側と下流側に一定の距離を離して設置されている。超音波振動子１１ａと超音波振動子１１ｂとの間で、流体の流れの順方向および逆方向に相互に超音波を送受信する動作が繰り返し行なわれ、各方向における超音波の伝搬積算時間の差に基づきガス流路１０ｃ内を流れるガスの流量が算出される。
【００１５】
傾斜センサ１５は、本発明の傾斜検出部に対応し、制御部２０に接続されており、当該超音波ガスメータの傾きを検出し、傾斜データとして制御部２０に出力する。この傾斜センサ１５は、当該超音波ガスメータが傾いていることを検出できる限りどのようなものであってもよいが、１例としては、すり鉢上の中にボールが入っており、通常はオフであるが、すり鉢の角度以上に傾斜がかかるとオンし、振動時にはチャタリング（パルス：オン/オフの繰返し）がする機械センサのようなものが考えられる。
【００１６】
圧力センサ１６は、本発明の圧力検出部に対応し、制御部２０に接続されており、ガス流路１０ｃ内のガスの圧力を検出し、圧力データとして制御部２０に出力する。圧力センサ１６もどのようなものであってもよいが、１例としては、圧電素子を利用したピエゾ型圧力センサ等が考えられる。
【００１７】
遮断センサ１７は、本発明の遮断検出部に対応し、制御部２０に接続されており、ガス流路１０ｃ内に流れるガスの遮断状態を検出し、遮断データとして制御部２０に出力する。具体的には、遮断センサ１７は、遮断弁１３によりガスが遮断されているか否かを判断する。したがって、当該超音波ガスメータが物理的に「遮断センサ１７」を有さない場合であっても、制御部２０が遮断弁１３の開閉状態についての情報を得ることができる場合には、当該超音波ガスメータは、「遮断検出部」を備えていると言える。
【００１８】
制御部２０は、超音波振動子１１ａ，１１ｂから送受される超音波信号に基づいて得られる伝搬時間に基づき流量を計測する。さらに制御部２０は、計測された流量データを監視し、流量データに基づいて異常が発生したと判断した場合に、遮断弁１３に制御信号を送ることで遮断弁１３を閉じてガス流路１０ｃに流れるガスを遮断する。
【００１９】
表示部１４は、ＬＥＤ，ＬＣＤ等であり、制御部２０により出力された制御信号に応じて、通常は、ガス使用積算値を表示し、ガス漏れなどの異常が生じた場合に、その旨を表す警告メッセージを表示する。
【００２０】
次に制御部２０の内部構成を説明する。図２に示すように、制御部２０は、伝搬時間計測部２２、流量計測部２４、電圧計測部２５、異常検出部２６、警告部２７、取り外し判定部２８、計数部２９、異常判定部３０、及び停止部３１で構成されている。
【００２１】
伝搬時間計測部２２は、本発明の流量センサの一部に対応し、超音波振動子１１ａ及び１１ｂ、流量計測部２４に接続されており、超音波振動子１１ａ及び１１ｂの間で送受される超音波信号の伝搬時間を計測する。
【００２２】
流量計測部２４は、本発明の流量センサの一部に対応し、伝搬時間計測部２２、異常検出部２６、取り外し判定部２８、及び表示部１４に接続されており、伝搬時間計測部２２により計測された伝搬時間に基づいて被計測流体であるガスの流量を計測する。また、流量計測部２４は、取り外し判定部２８により当該超音波ガスメータが配管から取り外された状態であると判定されている期間中、ガス流量の測定を停止する。
【００２３】
電圧計測部２５は、本発明の流量センサの一部に対応し、超音波振動子１１ａ及び１１ｂ、異常検出部２６に接続されており、超音波信号の受信信号の電圧レベルを計測する。
【００２４】
異常検出部２６は、本発明の流量データ異常検出部に対応し、流量計測部２４、電圧計測部２５、及び計数部２９に接続されており、流量計測部２４又は電圧計測部２５により測定された流量データの異常の検出を行う。
【００２５】
警告部２７は、異常判定部３０及び表示部１４に接続されており、表示部１４に対して警告表示データを必要に応じて出力し、また警報を発する構成でもよい。
【００２６】
取り外し判定部２８は、外部のセンサ類（傾斜センサ１５、圧力センサ１６、遮断センサ１７）に接続され、当該超音波ガスメータが配管から取り外された状態であるか否かを判定する。具体的には、取り外し判定部２８は、傾斜センサ１５により検出された当該超音波ガスメータの傾きと、圧力センサ１６により検出された圧力と、遮断センサ１７により検出された遮断状態とのうち少なくとも１つに基づき、当該超音波ガスメータが配管から取り外された状態であるか否かを判定する。
【００２７】
本実施例において、取り外し判定部２８は、当該超音波ガスメータが所定の角度以上傾いており、且つガス流路１０ｃ内の圧力が所定の値よりも低下しており、且つ遮断弁１３が閉じてガス遮断状態である場合にのみ、当該超音波ガスメータが配管から取り外された状態であると判定する。
【００２８】
計数部２９は、取り外し判定部２８により判定された判定結果に応じて、異常検出部２６により検出された流量データ異常の回数を計数する。具体的には、計数部２９は、取り外し判定部２８により当該超音波ガスメータが配管から取り外された状態であると判定された場合に、過去に計数した流量データ異常の回数をゼロクリアする。したがって、最初に当該超音波ガスメータが配管から取り外された際に計数部２９は、流量データ異常の回数をゼロクリアし、その後再び当該超音波ガスメータが配管に接続されるまで流量データ異常の回数を計数しない。
【００２９】
なお、計数部２９は、取り外し判定部２８により当該超音波ガスメータが配管から取り外された状態であると判定されている期間中、流量データ異常回数の計数を停止するとしてもよい。この場合には、最初に当該超音波ガスメータが配管から取り外された際にも計数部２９は、流量データ異常の回数をゼロクリアせず、単に流量データ異常回数の計数を停止するのみであり、その後再び当該超音波ガスメータが配管に接続された際に以前の流量データ異常の回数に継続して計数する。
【００３０】
異常判定部３０は、計数部２９により計数された流量データ異常の回数に基づき流量センサの異常を判定する。例えば、異常判定部３０は、計数部２９により計数された流量データ異常の連続回数又は累積回数が所定の値以上に達した場合に、流量センサが異常であるとの判定を行う。
【００３１】
停止部３１は、異常判定部３０及び遮断弁１３に接続されており、必要に応じて遮断弁を開閉するための遮断弁開閉信号を出力する。
【００３２】
図３は、本実施例の形態の超音波ガスメータの動作を示すフローチャート図である。図３を参照し実施例１に係る超音波ガスメータの動作を説明する。
【００３３】
まず、超音波ガスメータは、順方向・逆方向共に超音波計測を開始する。伝搬時間計測部２２は、上述したように、超音波振動子１１ａ及び１１ｂの間で送受される超音波信号の伝搬時間を計測する。流量計測部２４は、伝搬時間計測部２２により計測された伝搬時間に基づいて被計測流体であるガスの流量を計測して積算する。今、音速をｃ、被計測流体の流速をｖとし、超音波振動子１１ａから超音波振動子１１ｂまでの距離をＬとすると、順方向の超音波信号の伝搬時間はＬ／（ｃ＋ｖ）、逆方向の超音波信号の伝搬時間はＬ／（ｃ−ｖ）となる。Ｌの値が既知であれば、これらの伝播時間に基づき音速及び流速を求めることができる。よって、流量計測部２４は、求められた被計測流体であるガスの流速にガス流路１０ｃの断面積を乗じることにより瞬時流量を求めることができる。
【００３４】
伝搬時間計測部２２は、所定の時間毎に伝搬時間を計測し、計測結果を流量計測部２４に出力する。流量計測部２４は、所定の時間毎に計測された伝搬時間に基づき求めた被計測流体であるガスの瞬時流量と、前回計測された時刻から今回計測された時刻の間の時間とに基づき、前回の計測時から今回の計測時までの間に流れた流量を求めるとともに、今回求めた流量を前回までの積算流量値にさらに積算して、全時間に対する流量を計測する。その後流量計測部２４は、計測された全時間に対する流量を表示部１４に出力する。また、流量計測部２４は、瞬時流量値又は流量積算値を流量データとして異常検出部２６に出力する。
【００３５】
電圧計測部２５は、超音波振動子１１ａ又は超音波振動子１１ｂにおける超音波信号の受信信号の電圧レベルを計測し、計測結果を異常検出部２６に出力する。
【００３６】
異常判定部２６は、超音波センサの異常が発生しているか否かを判定する（ステップＳ１０１）。具体的には、異常検出部２６は、流量計測部２４により計測されたガスの流量データに異常があるか否かを判定する。例えば、異常検出部２６は、ガスの瞬時流量値が所定の範囲外の値を示す場合に、異常であると判定する。また、異常検出部２６は、電圧計測部２５により流量データとして出力された電圧レベルの計測結果に基づき流量データ異常（例えば、電圧レベルが所定値以下である、又は超音波が到達していない等）の有無を検出する。
【００３７】
異常検出部２６により流量データの異常（計測エラー）が検出されない場合には（ステップＳ１０３）、計数部２９は、過去に計数した流量データ異常の回数をゼロクリアする（ステップＳ１０５）。
【００３８】
ステップＳ１０３において、異常検出部２６により流量データの異常（計測エラー）が検出された場合には、計数部２９は、取り外し判定部２８により判定された判定結果に応じて、異常検出部２６により検出された流量データ異常の回数を計数する。
【００３９】
具体的には、取り外し判定部２８は、傾斜センサ１５（あるいは感震器）、圧力センサ１６、及び遮断センサ１７によるそれぞれの出力が所定の条件を満たしているか否かに基づき、当該超音波ガスメータが配管から取り外された状態であるか否かを判定する（ステップＳ１０７）。
【００４０】
まず取り外し判定部２８は、傾斜センサ１５により検出された当該超音波ガスメータの傾きが所定の角度以上であるか否かを判定する。超音波ガスメータは、取り外されていない状態においても、遮断弁１３が閉じ、ガス流路１０ｃ内の圧力が低下する可能性が考えられる。したがって、仮に超音波ガスメータの傾きを考慮に入れないで取り外し判定を行うと、取り外し判定部２８は、当該超音波ガスメータが配管から取り外されていないにもかかわらず取り外されたと誤判定し、流量センサ異常を見逃す可能性がある。したがって、取り外し判定部２８は、当該超音波ガスメータの傾きも考慮に入れて取り外し判定を行うのが良いと考えられる。
【００４１】
ここで、傾斜センサ１５は、感震器でもよい。また、運搬等による断続的な傾斜の発生を検出するため、取り外し判定部２８は、所定期間傾斜センサ１５による出力を監視し、一定の割合以上オン状態（傾き有り）が発生している場合に、傾いていると判定してもよい。
【００４２】
また、取り外し判定部２８は、圧力センサ１６により検出されたガス流路１０ｃ内の圧力が所定の値未満であるか否かを判定する。ガス流路１０ｃ内の圧力が低下していない場合には、超音波ガスメータが配管から取り外されていない可能性が高い。仮に、傾斜センサ１５及び遮断センサ１７の出力のみに基づいて取り外し判定を行った場合に、取り外し判定部２８は、地震等で傾いている際にも取り外されたと誤判定し、流量センサ異常を見逃す可能性がある。したがって、取り外し判定部２８は、ガス流路１０ｃ内の圧力も考慮に入れて取り外し判定を行うのが良いと考えられる。
【００４３】
さらに、取り外し判定部２８は、遮断センサ１７により検出されたガスの遮断状態（遮断弁１３の開閉状態）を判定する。遮断弁１３が開いている場合には、仮に当該超音波ガスメータが配管から取り外されているとしても、ガス流路１０ｃ内のガスは抜けてしまい、ガスと空気の混合状態にならないため、当該超音波ガスメータは、流量センサ異常状態が発生していると誤判定する問題やそれに付随する警報音等の問題を生じさせにくい。
【００４４】
なお、図示はされていないが、傾斜センサ１５や圧力センサ１６は、異常検出部２６に接続されて超音波ガスメータの異常検出に用いられる場合も考えられる。この場合に、超音波ガスメータが配管から取り外された場合には、停止部３１は、遮断弁１３を制御して超音波ガスメータの傾きによる感震遮断や供給圧低下による圧力低下遮断を発生させる可能性がある。また、停止部３１は、超音波ガスメータを取り外す直前に遮断操作を行う場合も多い。
【００４５】
本実施例において、取り外し判定部２８は、各センサ類の出力に基づき、当該超音波ガスメータが所定の角度以上傾いており、且つガス流路１０ｃ内の圧力が所定の値よりも低下しており、且つ遮断弁１３が閉じてガス遮断状態であると判定した場合にのみ、当該超音波ガスメータが配管から取り外された状態であると判定する。この状態において発生した流量データ異常は本来的な意味の異常ではなく、当該超音波ガスメータが取り外されて傾斜していることに起因していると考えられるため、計数部２９は、過去に計数した流量データ異常の回数をゼロクリアする（ステップＳ１０９）。したがって、異常判定部３０は、取り外し判定部２８により当該超音波ガスメータが配管から取り外された状態であると判定されている期間中、流量センサが異常であるとの判定は行わない。
【００４６】
また上述したように、計数部２９は、取り外し判定部２８により当該超音波ガスメータが配管から取り外された状態であると判定されている期間中、流量データ異常回数の計数を停止するとしてもよい。
【００４７】
また、流量計測部２４は、取り外し判定部２８により当該超音波ガスメータが配管から取り外された状態であると判定されている期間中、ガス流量の測定を停止する。具体的には、流量計測部２４は、今回計測された瞬時流量値を０であるとして積算する。これにより、本実施例の超音波ガスメータが特許文献１記載のガスメータと同様に流量データの異常を検出した場合に異常を検出する直前の流量値を今回取得した流量値として積算するものであっても、取り外し後にガス流量の測定を停止するので、正しい流量計測を行うことができる。
【００４８】
なお、取り外し判定部２８は、超音波ガスメータが配管から取り外されたか否かの判断を行うにあたって、条件を自由に設定することができ、３種類のセンサ全てを必ずしも使う必要はなく、組み合わせは自由である。
【００４９】
当該超音波ガスメータの角度、ガス流路１０ｃ内の圧力、及び遮断弁１３の遮断状態のいずれかの条件を満たさず、取り外し判定部２８が当該超音波ガスメータが配管から取り外された状態であると判定しない場合には、発生した流量データ異常が実際に異常を示していると考えられるため、計数部２９は、異常検出部２６により検出された流量データ異常の回数（計測エラー検出回数）を計数する（ステップＳ１１１）。
【００５０】
計数部２９により計数された流量データ異常の回数は、当該超音波ガスメータを取り外した場合に発生する流量データ異常の影響を排しており、実際に異常と思われる流量データ発生の回数である。したがって、異常判定部３０は、計数部２９により計数された流量データ異常の回数に基づき流量センサの異常を判定する。ここで、異常判定部３０は、計数部２９により計数された流量データ異常の回数（計測エラー検出回数）が所定の値ｎに達したか否かの判定を行い（ステップＳ１１３）、ｎに達した場合には流量センサが異常である（超音波センサ異常成立）との判定を行う（ステップＳ１１５）。
【００５１】
停止部３１は、異常判定部３０により流量センサが異常であると判定された場合に、遮断弁１３を閉じるための遮断弁開閉信号を出力して遮断弁１３を閉じ、被計測流体であるガスの流入出を停止させる。
【００５２】
また、警告部２７は、異常判定部３０により流量センサが異常であると判定された場合に、表示部１４に対して警告表示データを出力する。警告部２７は、音や光による警告（警報等）を行う構成でもよい。また異常の度合いに応じて段階的に警告を行うものであってもよい。例えば異常の度合いが軽度であれば表示部１４にメッセージを表示し、中度であれば警報を鳴らし、重度のときに初めて停止部３１を介して遮断弁１３を閉じるというものも考えられる。
【００５３】
上述のとおり、本発明の実施例１の形態に係る超音波ガスメータによれば、当該超音波ガスメータが配管から取り外された場合に、流量センサに対する異常判断を停止し、流量センサ異常の誤判断を防止することができる。
【００５４】
また、傾きを検出する傾斜センサ１５を備えているので、検出された傾斜データに基づいて超音波ガスメータの設置状態を検出することができる。超音波ガスメータが水平状態にない場合には配管から取り外された可能性があると判断することができる。
【００５５】
また、圧力を検出する圧力センサ１６を備えているので、検出された圧力データに基づいて超音波ガスメータの設置状態を検出することができる。検出された圧力が所定値以下あるいは大気圧とほぼ同じである場合には、当該超音波ガスメータが配管から取り外された可能性があると判断することができる。
【００５６】
また、遮断を検出する遮断センサ１７を備えているので、検出された遮断データに基づいて超音波ガスメータの遮断弁１３の開閉状態を検出することができる。
【００５７】
さらに、これらのセンサ類（傾斜センサ１５、圧力センサ１６、遮断センサ１７）による出力結果の組み合わせに基づき、取り外し判定部２８は、誤判断を起こすことなく、確実に当該超音波ガスメータが配管から取り外されたか否かを判定することができる。したがって、計数部２９は、取り外し判定部２８による判定結果に基づき、確実に当該超音波ガスメータが配管に接続されている場合にのみ流量データ異常の発生回数を計数する。このため、異常判定部３０は、誤判定を起こすことなく、確実に流量センサの異常を判定することができ、誤判定に基づく警報の発生等を防止することができる。
【００５８】
また、流量計測部２４は、取り外し判定部２８により当該超音波ガスメータが配管から取り外された状態であると判定されている期間中、ガス流量の測定を停止するので、正しい流量計測を行うことができる。
【産業上の利用可能性】
【００５９】
本発明に係る超音波ガスメータは、超音波を利用してガス等の流体の流量を計測し、計測エラーに応じてガスの遮断や警報を発する超音波ガスメータに利用可能である。
【図面の簡単な説明】
【００６０】
【図１】本発明の実施例１の形態の超音波ガスメータのブロック図である。
【図２】本発明の実施例１の形態の超音波ガスメータの制御部の内部構成を示すブロック図である。
【図３】本発明の実施例１の形態の超音波ガスメータの動作を示すフローチャート図である。
【符号の説明】
【００６１】
１０ａ  ガス流入口
１０ｂ  ガス流出口
１０ｃ  ガス流路
１１ａ，１１ｂ  超音波振動子
１３    遮断弁
１４    表示部
１５    傾斜センサ
１６    圧力センサ
１７    遮断センサ
２０    制御部
２２    伝搬時間計測部
２４    流量計測部
２５    電圧計測部
２６    異常検出部
２７    警告部
２８    取り外し判定部
２９    計数部
３０    異常判定部
３１    停止部
【図１】
0005140464.tif 000002
【図２】
0005140464.tif 000003
【図３】
0005140464.tif 000004